(57)【要約】【課題】個別のケーブルシールを使用する、コネクタアセンブリの未使用のキャビティをシールするための改良されたシステムを提供する。【解決手段】ケーブルシールコネクタアセンブリは、電線を受け入れるように構成された複数の端子挿入キャビティと、電気接続部のケーブルシールと、を有するシール領域を有する外側ハウジングを含む。ケーブルシールは、電線の周りに配置されるとともに、複数の端子挿入キャビティのうちの１つの端子挿入キャビティをシールするように構成される。複数の端子挿入キャビティのうちの少なくとも１つの端子挿入キャビティは、外側ハウジングが形成されるときに、端子挿入キャビティ内に一体的に成形された成形部材を含む。成形部材は、端子挿入キャビティをシールするように構成され、成形部材は端子挿入キャビティから取り除かれるように構成されている。【選択図】図１
2017195185.tif 000002
【特許請求の範囲】
【請求項１】
電線を受け容れるように構成された複数の端子挿入キャビティと、電気接続部のケーブルシールと、を有するシール領域を有する外側ハウジングであって、前記ケーブルシールは前記電線の周りに配置されるとともに、複数の端子挿入キャビティのうちの１つの端子挿入キャビティをシールするように構成されている外側ハウジングを有するケーブルシールコネクタアセンブリであって、
前記複数の端子挿入キャビティのうちの少なくとも１つの端子挿入キャビティが、前記外部ハウジングが形成される際に、前記端子挿入キャビティ内に一体的に成形された成形部材を含み、該成形部材は、前記端子挿入キャビティをシールするように構成され、前記成形部材は、少なくとも１つの端子挿入キャビティ内への電気接続部の挿入を可能にするように、前記端子挿入キャビティから取り除かれるように構成されている、ケーブルシールコネクタアセンブリ。
【請求項２】
前記複数の端子挿入キャビティに関連する複数の端子ハウジングチャンバを有する内側ハウジングをさらに備え、前記成形プラグは、少なくとも１つの端子挿入キャビティ及び関連する端子ハウジングチャンバの中への前記電気接続部の挿入を可能とするように、前記端子挿入キャビティから取り除かれるように構成されていることを特徴とする請求項１に記載のアセンブリ。
【請求項３】
前記複数の端子ハウジングチャンバの端子ハウジングそれぞれは、前記端子取付け部と係合するように構成された保持部材を含み、それによって前記端子取付け部を前記端子ハウジングチャンバの中に保持することを特徴とする請求項１に記載のアセンブリ。
【請求項４】
前記保持部材は、前記端子ハウジングチャンバの内周壁から延在する可撓性アームであることを特徴とする請求項３に記載のアセンブリ。
【請求項５】
前記可撓性アームは、保持突起と、解除突起と、を含むことを特徴とする請求項４に記載のアセンブリ。
【請求項６】
前記成形部材は、前記端子挿入キャビティの内周壁に結合した取り付け部分と、該取り付け部分から延びる取り外し接触部分と、を有するプラグであり、前記取り外し接触部分は、プラグ除去装置によって係合されるように構成されていることを特徴とする請求項２に記載のアセンブリ。
【請求項７】
前記端子挿入キャビティは、前記電気接続部が最初に挿入される入力端部と、前記内側ハウジングに隣接する出力端部と、を含み、前記取り付け部分は、前記出力端部において前記内周壁に結合することを特徴とする請求項６に記載のアセンブリ。
【請求項８】
前記取り付け部分は円錐形状であり、前記取外し接触部分は円筒形状であることを特徴とする請求項６に記載のアセンブリ。
【請求項９】
前記外側ハウジング内に配置されたシールをさらに備え、前記外側ハウジングは、外壁及び内壁を含み、前記シールは、前記内壁の外側表面の周りに配置されるとともに、前記外側ハウジングと、相手側コネクタアセンブリと、の間にシール様の係合を提供するように構成されていることを特徴とする請求項１に記載のアセンブリ。
【請求項１０】
前記内壁の外面は、第２の外面からオフセットした第１の外面を備え、前記シールは、前記第１の外面の周りに配置され、前記第２の外面及び前記外壁は、前記第２の外面と、前記外壁と、の間に、前記相手側コネクタアセンブリの挿入部分を受け取るように構成された受取チャネルを画定することを特徴とする請求項９に記載のアセンブリ。
【請求項１１】
前記ケーブルシールコネクタアセンブリは、複数の電線を受け容れるための複数の開口部を有するマット状シールを含まないことを特徴とする請求項１に記載のアセンブリ。
【請求項１２】
端子取付け部に結合された電線と、該電線の周りに配置された個々のケーブルシールと、を有する第１の電気接続部と、
前記第１の電気接続部の前記端子取付け部を受け容れるように構成された複数の端子ハウジングチャンバを有する第１の内側ハウジングと、
少なくとも１つのシールされた端子挿入キャビティと、少なくとも１つの開放された端子挿入キャビティと、を有するシール領域を有する第１の外側ハウジングであって、前記少なくとも１つの開放された端子挿入キャビティは、前記端子ハウジングチャンバのうちの１つに関連付けられるとともに、前記電線及び前記第１の電気接続部のケーブルシールを受け容れるように構成され、前記ケーブルシールは、前記解放された端子挿入キャビティ内に配置されて、その中で前記電線の周りにシールを提供する、第１の外側ハウジングと、
を備える第１のケーブルシールコネクタアセンブリを備え、
前記少なくとも１つのシールされた端子挿入キャビティは、前記第１の外側ハウジングが形成される際に、前記端子挿入キャビティの中に一体的に形成された成形部材を含み、前記成形部材は、前記シールされた端子挿入キャビティから取り除かれるように構成されて、前記端子挿入キャビティの中における前記第１の電気接続部の、関連付けられた端子ハウジングチャンバ中への挿入を可能にすることを特徴とする、電線ハーネスコネクタアセンブリ。
【請求項１３】
前記第１のケーブルシールコネクタアセンブリに結合されるとともに、前記第１のケーブルシールコネクタアセンブリ内に受け取られるように構成された第２のケーブルシールコネクタアセンブリをさらに備え、
前記第２のケーブルシールコネクタが、
端子に結合された電線及び前記電線の周りに配置された個々のケーブルシールを有する第２の電気接続部であって、該第２の電気接続部が前記第１の電気接続部に電気的に結合するように構成されている、第２の電気接続部と、
前記第２の電気接続部の前記端子を受け容れるように構成された複数の端子ハウジングチャンバを有する第２の内側ハウジングと、
少なくとも１つのシールされた端子挿入キャビティ及び少なくとも１つの開放された端子挿入キャビティを有するシール領域を有する第２の外側ハウジングであって、前記少なくとも１つの開放された端子挿入キャビティが前記端子ハウジングチャンバのうちの１つに関連付けられるとともに、前記第２の電気接続部の電線及びケーブルシールを受け容れるように構成され、前記ケーブルシールが、前記開放された端子挿入キャビティ内に配置されて、前記開放された端子挿入キャビティの中で前記電線の周りにシールを提供する、外側ハウジングと、
を備え、
前記少なくとも１つのシールされた端子挿入キャビティは、前記第２の外側ハウジングが形成される際に、前記シールされた端子挿入キャビティの中で一体的に形成された成形部材を含み、
前記成形部材は、前記シールされた端子挿入キャビティをシールするように構成され、
前記成形部材は、前記シールされた端子挿入キャビティから取り除かれるように構成されて、前記第２の電気接続部の、前記シールされた端子挿入キャビティの中における、関連する端子ハウジングチャンバ内への挿入を可能にすることを特徴とする、請求項１２に記載のアセンブリ。
【請求項１４】
前記第１の電気接続部の前記個々のケーブルシールは、前記第１の電気接続部の前記電線の周りにのみ配置されることを特徴とする請求項１３に記載のアセンブリ。
【請求項１５】
前記成形部材それぞれは、前記端子挿入キャビティの内周壁に結合された取り付け部分と、該取り付け部分から延びる取り外し接触部分と、を含むプラグであり、前記取り外し接触部分はプラグ除去装置によって係合されるように構成されている、請求項１３に記載のアセンブリ。
【請求項１６】
前記取り付け部分は円錐形状であり、前記取り外し接触部分は円筒形状であることを特徴とする請求項１３に記載のアセンブリ。
【請求項１７】
前記第１の内側ハウジングの前記複数の端子ハウジングチャンバの端子ハウジングそれぞれは、前記端子取付け部に係合して前記端子取付け部を前記端子ハウジングチャンバ中に保持するように構成された保持部材を含むことを特徴とする請求項１３に記載のアセンブリ。
【請求項１８】
前記保持部材は、前記端子ハウジングチャンバの内周壁から延びる可撓性アームであることを特徴とする請求項１７に記載のアセンブリ。
【請求項１９】
ケーブルシールコネクタアセンブリを製造する方法であって、
電線及び複数の端子挿入キャビティのうちの１つの端子挿入キャビティをシールするように構成されたケーブルシールを受け容れるように構成された複数の端子挿入キャビティを有するシール領域を有する外側ハウジングを形成するステップと、
前記外側ハウジングが形成されるときに、前記端子挿入キャビティのうちの少なくとも１つの中に成形プラグを一体的に形成するステップであって、前記成形プラグが前記端子挿入キャビティをシールする、ステップと、
を備える方法。
【請求項２０】
前記電線に結合された端子取付け部及び前記電線の周りに配置された個々のケーブルシールを有する電気接続部を提供するステップと、
前記電気接続部の端子取付け部を受け容れるように構成された複数の端子ハウジングチャンバを有する内側ハウジングを形成するステップと、
前記複数の端子挿入キャビティのうちの少なくとも１つの端子挿入キャビティから成形プラグを取り除くステップと、
前記電気接続部を前記少なくとも１つの端子挿入キャビティの中に挿入するステップであって、それによって前記端子取り付け部が、複数の端子ハウジングチャンバのうちの１つの端子ハウジングチャンバの中に配置され、前記ケーブルシールが前記少なくとも１つの端子挿入キャビティ内に配置されて、前記１つの端子ハウジングチャンバの中において前記電線の周りにシールを提供する、ステップと、
をさらに備え、
前記内側ハウジングを形成するステップ、及び前記外側ハウジングを形成するステップが、前記内側ハウジングを射出成形プロセスで形成するステップ、及び前記外側ハウジングを射出成形プロセスで形成するステップを含むことを特徴とする請求項１９に記載の方法。
【発明の詳細な説明】
【技術分野】
【０００１】
本開示は、２つの電気部品間の電気接続部に関し、より具体的には、使用されていないキャビティのための打ち抜き機能を有するケーブルシールコネクタアセンブリに関する。
【背景技術】
【０００２】
ここに提供される背景に関する説明は、本開示の背景を一般的に提示するためのものである。本発明者らの業績は、この背景技術の項に記載されている範囲のみならず、別様に出願時に先行技術とみなされない場合がある記載の態様もまた、明示又は黙示を問わず本開示に対する先行技術として採用されることはない。
【０００３】
従来の複数接点コネクタは通常、複数の接点と、対応するコネクタに結合する前面とは反対側の後面上のいくつかの開口部又は挿入スロットを有する絶縁ハウジングと、を含む。コネクタによっては、汚れや水分などの環境の影響から保護される必要を有する。そのように、シールをハウジングの後面の開口部に設けることができ、このシールは弾性材料から製造されたブロック状又はマット状のシールの形態であり、電気接点が電気コネクタを組み立てる際に差し込まれるか又は貫通される複数の開口部を含む。
【０００４】
しかし、マット状のシール構造は、マット状のシールの開口部が、接点を挿入する際にある程度までしか伸ばすことができないので、接点の横方向の寸法よりも実質的に小さい直径を有する非常に薄いケーブルに対しては問題を有する場合がある。さらに、接点が貫通する際にマット状のシールが損傷する危険がある。これは、接点の外形寸法がケーブルの直径よりも実質的に大きい場合、接点が鋭い外形を有する場合、又は接点が打ち抜き加工され、それによって接点の端縁が、これら端縁が接触することになるマット状のシールの一部を損傷させる場合のあるバリを有する場合に特に問題となる。マット状のシールの切断や裂けは、そのシール性能に支障をきたす。
【０００５】
すべての接点に共通するただ１つのマット状のシールを提供する代わりに、それぞれの接点に、ハウジングに接点を挿入する前にケーブルシールを個々に取り付けることができる。これは、接点自体がケーブルシール開口部を通過する必要がないので、非常に小さいケーブル絶縁直径に対して特に有利である。
【０００６】
典型的なケーブルシールコネクタは、コネクタに使用されていないキャビティに対して、ルースピースキャビティプラグを必要とする。これらルースピースプラグは、水の溜まりを防止するため、又はプラグがキャビティから脱落するのを防止するために、使用されていないキャビティそれぞれにおいて最適な位置又は深さに組み立てられなければならない。電線ハーネスアセンブリにおいてこの最適位置を達成することは困難である場合があり、プラグが外れた場合には品質問題を引き起こす可能性がある。
【０００７】
キャビティプラグを使用する代わりに、コネクタキャビティを「フラッシュオーバー」させることができる。しかし、これは鋳型コアへの物理的な変更が必要であり、鋳型工具における切り替えを実行するためにコネクタの製造を停止しなければならない。さらに、いくつかのキャビティは、それらが、工具のアクセスを必要とする端子位置保証（ＴＰＡ）ロックに必要な特徴を含むので、フラッシュオーバーすることができない。
【０００８】
したがって、そのような従来のコネクタアセンブリは、その意図する目的のために機能するが、マット状のシールとは対照的に個別のケーブルシールを使用する、コネクタアセンブリの未使用のキャビティをシールするための改良されたシステムを提供することが望ましい。
【発明の概要】
【課題を解決するための手段】
【０００９】
本開示の様々な実施形態では、ケーブルシールコネクタアセンブリが開示される。ケーブルシールコネクタアセンブリは、電線を受け入れるように構成された複数の端子挿入キャビティと、電気接続部のケーブルシールと、を有するシール領域を有する外部ハウジングを含む。ケーブルシールは、電線の周りに配置され、複数の端子挿入キャビティのうちの１つの端子挿入キャビティをシールするように構成される。複数の端子挿入キャビティのうちの少なくとも１つの端子挿入キャビティは、外部ハウジングが形成されるときに端子挿入キャビティ内に一体的に成形された成形部材を含む。この成形部材は、端子挿入キャビティをシールするように構成され、成形部材は、端子挿入キャビティから取り除かれるように構成される。
【００１０】
本開示の様々な実施形態には、電線ハーネスアセンブリが開示されている。アセンブリは、端子取付け部に結合した電線及びこの電線の周りに配置された個々のケーブルシールを有する第１の電気接続部と、第１の電気接続部を受け取るように構成された複数の端子ハウジングチャンバを有する第１の内側ハウジングと、少なくとも１つのシールされた端子挿入キャビティ及び少なくとも１つの開放された端子挿入キャビティを有するシール領域を有する第１の外側ハウジングと、を含む第１のケーブルシールコネクタアセンブリを含む。少なくとも１つの開放された端子挿入キャビティは、端子ハウジングチャンバのうちの１つに関連付けられるとともに、第１の電気接続部の電線及びケーブルシールを受け容れるように構成され、ケーブルシールは、開放された端子挿入キャビティ内に配置されて、その中において電線の周りにシールを提供する。少なくとも１つのシールされた端子挿入キャビティは、第１の外側ハウジングが形成される際にその中に一体的に成形された成形部材を含む。この成形部材は、シールされた端子挿入キャビティをシールするように構成され、成形された部材はシールされた端子挿入キャビティから取り除かれるように構成されて、端子挿入キャビティの中の第１の電気接続部の、関連する端子ハウジングチャンバ中への挿入を可能にする。
【００１１】
本開示の様々な実施形態において、ケーブルシールコネクタアセンブリを製造する方法が開示される。この方法は、電線を受け容れるように構成された複数の端子挿入キャビティと、これら複数の端子挿入キャビティのうちの１つの端子挿入キャビティをシールするように構成されたケーブルシールと、を有するシール領域を有する外側ハウジングを形成するステップと、前記外側ハウジングが形成される際に端子挿入キャビティのうちの少なくとも１つの中に成形プラグを一体的に形成するステップであって、この成形プラグが端子挿入キャビティをシールする、ステップと、を含む。
【００１２】
本開示の適用可能なさらなる領域は、以下に提供される詳細な説明から明らかになるであろう。詳細な説明及び具体的な例は例示のためだけを意図されており、本開示の範囲を限定することを意図されるものではないことが理解されるべきである。
【００１３】
本開示は、詳細な説明及び添付図面からより完全に理解されるであろう。
【図面の簡単な説明】
【００１４】
【図１】図１は、本開示のいくつかの実施形態による、アセンブリ前の例示的なケーブルシールコネクタアセンブリの断面図である。
【図２】本開示のいくつかの実施形態に従って部分的に組み立てられた、図１に示すケーブルシールコネクタアセンブリの断面図である。
【図３】本開示のいくつかの実施形態による組立後の、図１及び図２に示すケーブルシールコネクタアセンブリの断面図である。
【図４】本開示のいくつかの実施形態による、図１〜図３に示すアセンブリの例示的なケーブルシールコネクタハウジングの正面斜視図である。
【図５】図４の例示的なケーブルシールコネクタハウジングの背面斜視図である。
【図６】本開示のいくつかの実施形態による図１〜図３に示すケーブルシールコネクタアセンブリを有する例示的なワイヤハーネスアセンブリの断面図である。
【発明を実施するための形態】
【００１５】
図１〜３は、ケーブルシールコネクタアセンブリ１０の一例を示す。図１は、組立前のケーブルシールコネクタアセンブリ１０を示し、  図２は、部分的に組み立てられた、プラグ除去プロセスの後のケーブルシールコネクタアセンブリ１０を示し、図３は、組み立て後のケーブルシールコネクタアセンブリ１０を示す。図示された実施形態では、ケーブルシールコネクタアセンブリ１０は、電気接続部２００を受け取るとともに収容するように構成され、一般的には内側ハウジング１２、シール１４、及び外側ハウジング１６を含む。例示の実施形態では、電気接続部２００は端子取付け部２０２を含み、この端子取付け部には、電線２０４及びゴム製ケーブルシール２０６が取り付けられている（図１及び図３参照）。
【００１６】
内側ハウジング１２は一般的に、主本体部２２、接続部２４、及びこれらの中に一体的に形成された複数の端子ハウジングチャンバ２６を画定するハウジング本体２０を含む。主本体部２２は、前面２８、外面３０、及び接続部２４に隣接する肩部３２を画定する後面を含む。接続部２４は、後面３４及び外面３６を含み、外側ハウジング１６の中に挿入されるように構成されている。内側ハウジング１２は、内側ハウジング１２を外側ハウジング１６に結合させるように構成された１つ以上の接続特徴部（図示せず）を含むことができる。
【００１７】
端子ハウジングチャンバ２６それぞれは、挿入部の後面３４に端子挿入端部４０を有し、主本体部の前面２８に端子受取端部４２を含む。端子挿入端部４０それぞれは、１つの電気接続部２００を受け取るように構成された端子挿入開口部４４を含む。端子受取端部それぞれ４２は、関連する電気接続部２００に電気的に結合するように構成された相補端子（図示せず）を受け取るように構成された端子受取開口部４６を含む。
【００１８】
例示の実施形態では、端子ハウジングチャンバそれぞれ２６は内周壁４８を含み、この内周壁は、そこから延び端子取付け部２０２を保持するように構成された１つ以上の保持部材５０を含むことができる。例えば、図示された実施形態では、保持部材は、内周壁４８から延びるとともに保持突起５２と解除突起５４とを含む可撓性保持アーム５０を備える。
【００１９】
シール１４は、相手側コネクタが外側ハウジング１６に挿入されるときに、外側ハウジング１６と、相手側コネクタアセンブリ４１０（図６）と、の間に介在する防水パッキングである。シール１４は、外側ハウジング１６の前側から外側ハウジング１６に取り付けられるように構成される。
【００２０】
図４及び図５をさらに参照すると、外側ハウジング１６は、一般的に外側部分６０、内側部分６２、ハウジングの前側部分６４、及びハウジングの後側部分６６を含む。外側部分６０は、外面７０及び内面７２を有する外壁６８を含む。外壁６８は、相手側コネクタを受け取るように構成されたキャビティ７４を少なくとも部分的に画定する。代替的に、外部ハウジング１６は、相手側コネクタ内に収容されるように構成することができる。
【００２１】
外面７０は、ケーブルシールコネクタアセンブリ１０を相手側コネクタ（図示せず）に固定するための、相手側コネクタの相補的保持特徴部と結合するように構成された、図示された保持クリップのような１つ以上の保持特徴部７６を含む。受取チャネル７８は、内面７２と内側部分６２との間に画定され、相手側コネクタの挿入部分を受け取るように構成されている。例えば、図６に示すように、チャネル７８は、コネクタ４１０の挿入部分４１８を受け入れる。
【００２２】
内側部分６２は、内壁８０及びシール領域８２を含む。内壁８０は、第１の外面８４、第２の外面８６、及び内面８８を含む。シール１４は、第１の外面８４上に固定され（ｂｅ  ｓｅａｔｅｄ）、第１の外面８４と第２の外面８６との間に画定された肩部９０に当接するように構成される。図６に示すように、相手側コネクタの挿入部分４１８の少なくとも一部は、受取チャネル７８の第２の外面８６に対して配置されて、コネクタアセンブリ１０及び相手側コネクタ４１０をしっかりと固定する。内面８８は内側ハウジング１２の接続部２４を受け取るように構成されたハウジング受取キャビティ９２を画定し、それによって、内側ハウジングの後面３４は、内面８８とシール領域８２との間に画定された肩部９４に当接する。
【００２３】
シール領域８２は、入力端部１００と出力端部１０２との間に形成された複数の端子挿入キャビティ９８を有する本体９６を含む。端子挿入キャビティ９８それぞれは、円形状又は略円形状の断面を有し、電気接続部２００のうちの１つを受け容れるように構成されている。しかし、外側ハウジング１６の端子挿入キャビティ９８それぞれは、その中に一体的に成形された成形プラグ１０４を含む。例えば、外側ハウジング１６は、端子挿入キャビティ９８のそれぞれ内に成形プラグ１０４を一体的に形成する射出成形プロセスを使用して製造される。そのように、電気接続部２００は、プラグ１０４が取り除かれるまではキャビティ９８を通じて挿入することはできない。
【００２４】
図１に示すように、成形プラグ１０４は、取り付け部分１０６と取り外し接触部分１０８とを含む。取り付け部分１０６は、略円錐形状であり、挿入キャビティ９８の内周面１１０に一体的に成形される。取り外し接触部分１０８は、略円筒状であり、挿入キャビティ９８内の取り付け部分１０６から延びている。取り外し接触部分１０８は、成形されたプラグ１０４を取り除くか又は打ち抜くように、工具又は機械（図示せず）によって接触されるように構成される。したがって、一旦製造されると、外側ハウジング１６は打ち抜きプロセスを経て、そこで工具又は機械は、電気接続部２００を受け容れることになる特定の端子挿入キャビティ９８から成形プラグ１０４を取り除く。
【００２５】
そのように、外側ハウジング１６は、ケーブルシール２０６のためのシール領域８２を含み、成形プラグ１０４によって完全に閉鎖された位置にキャビティ９８を有して成形される。外側ハウジング１６は、キャビティ９８中の成形プラグ１０４を打ち抜く自動工程を経ることができ、キャビティ９８は電線２０４及びケーブルシール２０５を受容することになる。打ち抜かれていないキャビティは、成形プラグ１０４によってシールされ、閉止された状態のままとなり、ルースピースキャビティプラグ（図示せず）を必要としない。そのように、アセンブリ１０は、使用されていないキャビティのための潜在的に問題を有するルースピースキャビティプラグに対する必要性を排除し、コネクタ成形に対する複雑かつ時間のかかる工具交換を必要としない。さらに、アセンブリ１０はマット状シールを使用せず、マット状シールでシールされたコネクタと比較したときに、よりロバストなシールを提供する個々のケーブルシール２０６を代わりに使用する。
【００２６】
一旦、成形プラグ１０４が所望の端子挿入キャビティ９８から取り除かれると、電気接続部２００は、端子取付け部２０２を入力端１００の中に、そして端子挿入キャビティ９８を通じて端子ハウジングチャンバ２６の中に挿入することによって、アセンブリ１０に接続される。図３に示すように、端子取付け部２０２は保持部材５０によってチャンバ２６内に固定され、ケーブルシール２０６は端子挿入キャビティ９８内に配置され、それによってキャビティ９８を入力端１００からシールする。
【００２７】
一実施形態では、ケーブルシールコネクタアセンブリ１０を製造する例示的な方法３００は、ステップ３１０において、例えば射出成形プロセスによって内側ハウジング１２を形成するステップを含む。ステップ３２０において、外側ハウジング１６は、例えば、射出成形プロセスによって複数の端子挿入キャビティ９８を有するシール領域８２を有して形成される。プラグ１０４は、外側ハウジング１６の形成中に端子挿入キャビティ９８中に一体的に形成され、それによって、外側ハウジング１６は全てのキャビティ９８がシールされた状態で形成される。ステップ３３０において、除去又は打ち抜き加工プロセスが続いて外側ハウジング１６に対して行われて、電気接続部２００を受け取る端子挿入キャビティ９８から成形プラグ１０４を取り除く。
【００２８】
ステップ３４０において、シール１４は外側ハウジング１６に固定される（ｓｅａｔｅｄ  ｏｎ）。ステップ３５０において、内側ハウジング１２が外側ハウジング１６内に挿入されるとともに、外側ハウジング１６に結合される。ステップ３６０において、電気接続部２００は端子挿入キャビティ９８を通じて端子ハウジングチャンバ２６の中に挿入され、それによって端子取付け部２０２が（例えば、保持部材５０によって）チャンバ２６内に配置されるとともに固定され、ケーブルシール２０６が挿入キャビティ９８内に配置され、電線２０４の周りで挿入キャビティ９８をシールする。
【００２９】
図６を参照すると、例示の電線ハーネスコネクタアセンブリ４００が図示されている。電線ハーネスアセンブリ４００は、一般的にケーブルシールコネクタアセンブリ１０及び相手側のケーブルシールコネクタアセンブリ４１０を含む。図示された実施形態では、ケーブルシールコネクタアセンブリ１０は雌コネクタであり、相手側コネクタアセンブリ４１０は雄コネクタである。
【００３０】
相手側コネクタアセンブリ４１０は、外側ハウジング４１６内に受け取られる内側ハウジング４１２を含む。内側ハウジング４１２は、端子取付け部２０２に電気的に接続するように構成された端子を有する電気接続部（図示せず）を受け取るように構成されている。外側ハウジング４１６は、内面７２と第２の外面８６との間の受取チャネル７８内に受け容れられるように構成された外壁又は挿入部分４１８を含む。シール１４が、外側ハウジング１６と外側ハウジング４１６との間に介在させられて、コネクタアセンブリ１０及び相手側コネクタアセンブリ４１０をシール状態に固定する。外側ハウジング４１６はシール領域４８２を有して形成することができ、このシール領域４８２は、端子挿入キャビティ４９８内に一体的に成形されたプラグ４５６を含む。シール領域４８２はシール領域８２と同様であり、成形プラグ４５６は、同様の方法で選択的に取り除くことができる。
【００３１】
ここに記載されているのは、ケーブルシールされたコネクタアセンブリの端子キャビティをシールするためのシステム及び方法である。ケーブルシールされたコネクタアセンブリは、別々に成形された内側ハウジング及び外側ハウジングを含む。内側ハウジングは、電気端子及びＴＰＡ装置（図示せず）を保持する。外側ハウジングは、成形プラグによって完全に閉じた位置に成形されるケーブルシールのための端子挿入キャビティを含む。次いで、所定のプロセスが、電気端子を受け入れるキャビティから一体的に成形されたプラグを打ち抜くように行われてもよい。打ち抜かれていないキャビティは、一体的に成形されたプラグによって閉じられたままとされ、ルースピースキャビティプラグを必要とはしない。そのように、ケーブルシールされたコネクタアセンブリは、使用されていないキャビティに対するルースピースキャビティプラグの必要性を排除するコネクタを提供し、フラッシュオーバーのためのコネクタモールドへの複雑かつ時間のかかる工具交換を必要とせず、マット状シールを有するコネクタとは逆に個々のケーブルシールによって優れたシール機能を提供する。
【００３２】
例示の実施形態は、本開示が徹底され、その技術的範囲を当業者に十分に伝えるように提供される。本開示の実施形態の完全な理解を提供するために、特定の構成要素、装置、及び方法の例など、多くの具体的な詳細が説明されている。当業者には、特定の詳細を採用する必要がないこと、例示的な実施形態は多くの異なる形で具現化することができること、及びいずれもが本開示の範囲を限定するものと解釈すべきでないことが明らかであろう。いくつかの例示の実施形態では、周知の手順、周知の装置構造、及び周知の技術は詳細には記載されていない。
【００３３】
本明細書で使用される用語は、特定の例示的な実施形態のみを説明するためのものであり、限定することを意図するものではない。本明細書で使用されるように、単数形「ａ」、「ａｎ」及び「ｔｈｅ」は、文脈がそうでないことを明確に示さない限り、複数形をも含むことを意図されている。「及び／又は」という用語は、１つ以上の関連するリストされたアイテムの任意の及びすべての組み合わせを含む。「備える」、「含む」、及び「有する」との用語は包括的なものであり、従って、記載された特徴、整数、ステップ、操作、要素及び／又は構成要素の存在を特定するが、１つ以上の他の特徴、整数、ステップ、操作、要素、構成要素、及び／又はそれらの群の存在又は追加を除外するものではない。ここに記載の方法のステップ、プロセス、及び操作は、実行の順序として具体的に特定されない限り、必ずしも説明又は図示された特定の順序での実行を必要とすると解釈されるべきではない。また、付加的又は代替的なステップを採用することができることが理解される。
【００３４】
第１、第２、第３等の用語は、様々な要素、構成要素、領域、層及び／又は区画を記述するためにここで使用することができるが、これらの要素、構成要素、領域、層及び／又は区画は、これら用語によって限定されるべきではない。これら用語は、１つの要素、構成要素、領域、層、又は区画を他の領域、層又は区画と区別するためにのみ使用することができる。「第１」、「第２」及び他の数値的な用語のような用語は、ここで使用される場合には、文脈によって明白に示されない限り、順番又は順序を意味するものではない。したがって、以下に説明する第１の要素、構成要素、領域、層又は区画は、例示の実施形態の教示から逸脱することなく、第２の要素、構成要素、領域、層又は区画を称するものとすることができる。
【００３５】
実施形態の前述の説明は、例示及び説明のために提供されてきた。網羅的であること、又は開示を限定することを意図するものではない。特定の実施形態の個々の要素又は特徴は一般的にその特定の実施形態に限定されないが、適用可能である場合には交換可能であり、特に示されて又は記載されていなくとも選択された実施形態において使用することができる。また、同じことは、多くの態様に変化させることができる。そのような変形は、開示からの逸脱とみなされるべきではなく、そのような変更のすべては、本開示の範囲内に含まれることを意図されている。
【符号の説明】
【００３６】
１０          ケーブルシールコネクタアセンブリ
１２          内側ハウジング
１４          シール
１６          外側ハウジング
２０          ハウジング本体
２２          主本体部
２４          接続部
２６          端子ハウジングチャンバ
４０          端子挿入端部
４２          端子受取端部
４４          端子挿入開口部
４６          端子受取開口部
５０          保持部材
５２          保持突起
５４          解除突起
７４          キャビティ
７６          保持特徴部
７８          受取チャネル
８２          シール領域
９２          ハウジング受取キャビティ
９４          肩部
９６          本体
９８          端子挿入キャビティ
１００        入力端部
１０２        出力端部
１０４        成形プラグ１０４
１０６        取り付け部分
１０８        取り外し接触部分
２００        電気接続部
２０２        端子取付け部
２０４        電線
２０６        ケーブルシール
４００        電線ハーネスコネクタアセンブリ
４１０        相手側コネクタアセンブリ、相手側コネクタ
４１２        内側ハウジング
４１６        外側ハウジング
４１８        挿入部分
４５６        プラグ
４８２        シール領域
４９８        端子挿入
【図１】
2017195185.tif 000003
【図２】
2017195185.tif 000004
【図３】
2017195185.tif 000005
【図４】
2017195185.tif 000006
【図５】
2017195185.tif 000007
【図６】
2017195185.tif 000008
【外国語明細書】
2017195185000001.pdf